(57)【要約】【課題】リアクターの劣化と温度上昇を抑制する空気調和機の室外機を提供する。【解決手段】基板２上に、ファン（図示せず）及びファンモータ（図示せず）で形成される送風回路５と圧縮機（図示せず）等の冷凍サイクル部品を収納する機械室８を仕切板３で区切って配置し、送風回路５側の基板２と仕切板３で形成される一角にリアクター９を搭載したリアクター台１０を配置し、リアクター台１０と基板２で形成される空間１２と機械室８とを連通する開口３ａを仕切板３に設け、リアクター９を覆うリアクターカバー１３をリアクター台１０に配置するもので、リアクター９をリアクター台１０を介して基板２に確実に収納・固定ができ、リアクター台１０の直下を通る冷却風でリアクター９が冷却され、さらにリアクター９はリアクターカバー１３によって完全に覆われているためリアクター９の表面に水分を含んだ冷却風が直接触れずリアクター９の劣化を防止できる。【選択図】図３
2009144955.tif 000002
【特許請求の範囲】
【請求項１】
基板上に、ファン及びファンモータで形成される送風回路と圧縮機等の冷凍サイクル部品を収納している機械室を仕切板で区切って配置し、前記送風回路側の基板と前記仕切板で形成される一角にリアクターを搭載したリアクター台を配置し、前記リアクター台と前記基板で形成される空間と前記機械室とを連通する開口を前記仕切板に設け、さらに前記リアクターを覆うリアクターカバーを前記リアクター台に配置することを特徴とする空気調和機の室外機。
【請求項２】
空間を、冷凍サイクル部品の低圧側配管系で生ずる結露水の排水流路上に配置したことを特徴とする請求項１に記載の空気調和機の室外機。
【請求項３】
リアクターカバーを、リアクター台からさらに基板方向へ延伸したことを特長とする請求項１又は２に記載の空気調和機の室外機。
【発明の詳細な説明】
【技術分野】
【０００１】
本発明は、冷却を必要とするリアクターを搭載した空気調和機の室外機に関するものである。
【背景技術】
【０００２】
従来、この種の空気調和機の室外機では、送風回路内の基板と仕切板で形成される空間にリアクターカバーで囲って配置された大型で重量のあるリアクターの冷却は、送風回路を構成するファンにより機械室からリアクターカバー内部を経て通風孔より送風回路へと誘引される冷却風によって行われていた（例えば、特許文献１参照）。
【０００３】
図７は、従来の空気調和機の室外機の要部斜視図、図８は、同空気調和機の室外機の要部断面図である。
【０００４】
図７、８において、室外機（図示せず）の基板１０２と仕切板１０３で形成される一角に、リアクターカバー１１３で覆われ配置されたリアクター１０９は、基板１０２の台座部１０２ａに固定され、機械室側Ａへは、仕切板１０３の開口部１０３ａ、送風回路側Ｂへはリアクターカバー１１３のルーバー部１１３ａで連通している。
【特許文献１】特公平０７−６９０６２号公報
【発明の開示】
【発明が解決しようとする課題】
【０００５】
しかしながら、上記従来の空気調和機の室外機の構成では、大型化したリアクター１０９は、基板１０２に確実に固定され、また冷却手段として外気をＡからＢ方向に流しているので温度上昇は防いでいるものの、リアクター１０９に直接冷却風が当たり、冷却風に含まれる水分がリアクター１０９の表面に付着することにより、リアクター１０９を劣化させるという課題を有していた。
【０００６】
本発明は、前記従来の課題を解決するもので、大型化するリアクターを確実に収納すると共に、直接外気に触れることなく冷却し水分付着による劣化を防ぎかつ温度上昇を抑制することができる空気調和機の室外機を提供することを目的とする。
【課題を解決するための手段】
【０００７】
前記従来の課題を解決するために本発明の空気調和機の室外機は、基板上に、ファン及びファンモータで形成される送風回路と圧縮機等の冷凍サイクル部品を収納している機械室を仕切板で区切って配置し、前記送風回路側の基板と前記仕切板で形成される一角にリアクターを搭載したリアクター台を配置し、前記リアクター台と前記基板で形成される空間と前記機械室とを連通する開口を前記仕切板に設け、さらに前記リアクターを覆うリアクターカバーを前記リアクター台に配置するもので、大型で重量のあるリアクターはリアクター台を介して基板に確実に収納・固定することができ、またリアクターを搭載しているリアクター台直下を冷却風が通過することによりリアクターを冷却することができると共に、リアクターはリアクターカバーによって完全に覆われているためリアクター表面へ冷却風が直接触れることがなく、水分付着によるリアクターの劣化を防止できる。
【発明の効果】
【０００８】
本発明の空気調和機の室外機は、大型で重量のあるリアクターはリアクター台を介して基板に確実に固定することができ、またリアクターを搭載しているリアクター台の直下を冷却風が通過することにより、リアクターを冷却することができると共に、リアクターは
リアクターカバーによって完全に覆われているため、リアクターの表面に冷却風が直接触れることがなく、水分付着によるリアクター劣化を防止が可能となる。
【発明を実施するための最良の形態】
【０００９】
第１の発明は、基板上に、ファン及びファンモータで形成される送風回路と圧縮機等の冷凍サイクル部品を収納している機械室を仕切板で区切って配置し、前記送風回路側の基板と前記仕切板で形成される一角にリアクターを搭載したリアクター台を配置し、前記リアクター台と前記基板で形成される空間と前記機械室とを連通する開口を前記仕切板に設け、さらに前記リアクターを覆うリアクターカバーを前記リアクター台に配置するもので、大型で重量のあるリアクターはリアクター台を介して基板に確実に収納・固定することができ、またリアクターを搭載しているリアクター台直下を冷却風が通過することによりリアクターを冷却することができると共に、リアクターはリアクターカバーによって完全に覆われているためリアクター表面へ冷却風が直接触れることがなく、水分付着によるリアクターの劣化を防止できる。
【００１０】
第２の発明は、特に、第１の発明の空間を、冷凍サイクル部品の低圧側配管系で生ずる結露水の排水流路上に配置したもので、リアクター台の一部が冷凍サイクル部品の低圧側配管系で生ずる結露水に浸ることによりリアクター台を介してリアクターの温度を低下させリアクターの温度上昇による品質劣化を防止でき品質も安定する。
【００１１】
第３の発明は、特に、第１又は第２の発明のリアクターカバーを、リアクター台からさらに基板方向へ延伸したもので、リアクターカバーの一部が冷凍サイクル部品の低圧側配管系で生ずる結露水の排水流路で冷却されることになり、リアクターカバー内の雰囲気温度を低下させ、リアクターの冷却にも寄与し、リアクターの温度上昇による品質劣化を防止でき品質も安定する。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和機の室外機の断面図、図２は、同空気調和機の室外機の要部斜視図、図３は、同空気調和機の室外機の要部断面図である。
【００１４】
図１、図２及び図３において、本実施の形態における空気調和機の室外機１には、基板２上に仕切板３で区切られた、ファン４及びファンモータ（図示せず）で形成される送風回路５と、圧縮機６、アキュームレータ７等の冷凍サイクル部品を収納している機械室８を配置し、また送風回路５側の基板２と仕切板３で形成される一角には、圧縮機６の運転制御を担うリアクター９を、リアクター台１０の台座部１０ａにねじ１１ａで固定し、さらにリアクター台１０の脚部１０ｂを、ねじ１１ｂで基板２に固定し、またリアクター台１０と基板２で形成される空間１２と機械室８とを連通する開口３ａを仕切板３に設け、さらにリアクター９を覆うリアクターカバー１３を、ねじ１４ａでリアクター台１０の台座部１０ａに固定し、さらにねじ１４ｂで仕切板３に固定するという構成になっている。
【００１５】
以上のように構成された空気調和機の室外機について、以下その動作と作用について説明する。
【００１６】
まず、大型で重量のあるリアクター９は、堅固なリアクター台１０にねじ１１ａで固定され、そのリアクター台１０は、基板２にねじ１１ｂで固定されている。また、リアクター９の冷却には、機械室８から仕切板３の開口部３ａを経て、リアクター９直下の空間１２を通り送風回路５へＡからＢへの冷却風の通過道が形成され、さらに、リアクターカバ
ー１３はリアクター台１０と仕切板３に、それぞれねじ１４ａ、１４ｂで固定されて、その密閉状態の中にリアクター９が存することになる。
【００１７】
以上のように本実施の形態では、基板２上に仕切板３で区切られた、ファン４及びファンモータ（図示せず）で形成される送風回路５と、圧縮機６、アキュームレータ７等の冷凍サイクル部品を収納している機械室８を配置し、また送風回路５の基板２と仕切板３で形成される一角にリアクター９をリアクター台１０に固定し、さらにリアクター台１０を基板２に固定し、またリアクター台１０と基板２で形成される空間１２と機械室８と連通する開口部３ａを仕切板３に設け、さらにリアクター９を覆うリアクターカバー１３をリアクター台１０と仕切板３に固定するように配置したことにより、大型で重量のあるリアクター９は、リアクター台１０を介して基板２に確実に固定することができ、またリアクター９を搭載しているリアクター台１０の直下を冷却風が通過することにより、リアクター９を冷却することができると共に、リアクター９は、リアクターカバー１３によって完全に覆われているためリアクター９の表面へ冷却風が直接触れることなく水分付着によるリアクター９の劣化を防止できることになる。
【００１８】
（実施の形態２）
図４は、本発明の第２の実施の形態における空気調和機の室外機の要部斜視図、図５は、同空気調和機の室外機の要部断面図である。なお、上記第１の実施の形態における空気調和機の室外機と同一部分については、同一符号を付してその説明を省略する。
【００１９】
図４及び図５において、空気調和機の室外機は、リアクター台１０と基板２で形成される空間１２を、機械室８から機械室８と連通する通路を形成する仕切板３の開口部３ａを経て送風回路５に渡る土手２ａにより形成される基板２の排水流路１４に配置し、さらに機械室８に存する冷凍サイクル部品の低圧側配管系の一つであるアキュームレータ７を前記排水流路１４の直上に配置するという構成になっている。
【００２０】
以上のように構成された空気調和機の室外機について、以下その動作と作用について説明する。
【００２１】
まず、大型で重量のあるリアクター９は、堅固なリアクター台１０にねじ１１ａで固定され、そのリアクター台１０は、脚部１０ｂで基板２に形成されている排水流路１４に、ねじ１１ｂで固定されている。また、リアクター９の冷却には、機械室８から仕切板３の開口部３ａを経て、リアクター９直下の空間１２を通り送風回路５へＡからＢへの冷却風の通過道が形成されるとともに、リアクター台１０の脚部１０ｂが排水流路１４にて機械室８に存する冷凍サイクル部品の低圧側配管系の一つであるアキュームレータ７から流出する結露水で冷却され、さらに、リアクターカバー１３は、リアクター台１０と仕切板３に固定されて、その密閉状態の中にリアクター９が存することになる。
【００２２】
以上のように本実施の形態では、実施の形態１のリアクター台１０と基板２で形成される空間１２を、機械室８から機械室８と連通する通路を形成する仕切板３の開口部３ａを経て送風回路５に渡る土手２ｂにより形成される基板２の排水流路１４に配置し、さらに機械室８に存する冷凍サイクル部品の低圧側配管系の一つであるアキュームレータ７を前記排水流路１４直上に配置したことにより、大型で重量のあるリアクター９はリアクター台１０を介して基板２に確実に固定することができ、またリアクター９を搭載しているリアクター台１０直下を冷却風が通過することと、さらにリアクター台１０の脚部１０ｂが排水流路１４にて機械室８に存する冷凍サイクル部品の低圧側配管系の一つであるアキュームレータ７から流出する結露水で冷却されることにより、リアクター９をより確実に冷却することができると共に、リアクター９はリアクターカバー１３によって完全に覆われているためリアクター９の表面に冷却風が直接触れることがなく、水分付着によるリアク
ター９の劣化を防止できることになる。
【００２３】
また、図６に示すように、上記実施の形態におけるリアクターカバー１３に、リアクター台１０から基板２に向かって延伸している折返し部１３ａを設けるようにすれば、特に、折返し部１３ａが排水流路１４にて機械室８に存する冷凍サイクル部品の低圧側配管系の一つであるアキュームレータ７から流出する結露水で冷却され、リアクターカバー１３内の雰囲気温度をさらに低下させ、リアクター９の冷却にも寄与することになる。
【産業上の利用可能性】
【００２４】
以上のように、本発明に係る空気調和機の室外機は、大型で重量のあるリアクターを、リアクター台を介して基板に確実に固定することができ、またリアクターを搭載しているリアクター台の直下を冷却風が通過することによりリアクターを冷却することができると共に、リアクターはリアクターカバーによって完全に覆われているため、リアクターの表面に冷却風が直接触れることがなく、水分付着によるリアクターの劣化を防止することが出来るもので、家庭用、業務用の各種空気調和機に適用できるものである。
【図面の簡単な説明】
【００２５】
【図１】本発明の実施の形態１における空気調和機の室外機の断面図
【図２】同空気調和機の室外機の要部斜視図
【図３】同空気調和機の室外機の要部断面図
【図４】本発明の実施の形態２における空気調和機の室外機の要部斜視図
【図５】同空気調和機の室外機の要部断面図
【図６】同空気調和機の室外機の他の例を示す要部斜視図
【図７】従来の空気調和機の室外機の要部斜視図
【図８】同空気調和機の室外機の要部断面図
【符号の説明】
【００２６】
１  室外機
２  基板
３  仕切板
４  ファン
３ａ  開口
５  送風回路
６  圧縮機
７  アキュームレータ
８  機械室
９  リアクター
１０  リアクター台
１３  リアクターカバー
【図１】
2009144955.tif 000003
【図２】
2009144955.tif 000004
【図３】
2009144955.tif 000005
【図４】
2009144955.tif 000006
【図５】
2009144955.tif 000007
【図６】
2009144955.tif 000008
【図７】
2009144955.tif 000009
【図８】
2009144955.tif 000010